(57)【特許請求の範囲】
【請求項１】
本尺と、この本尺に移動可能に設けられたスライダとを備え、前記スライダには、本尺に対するスライダの移動量に基づく測定データを求める信号処理部と、この信号処理部で求められた測定データを出力する出力コネクタとがそれぞれ設けられた測定器に取り付けられる測定器用送信ユニットであって、
前記測定データを無線で送信する送信回路を内蔵したユニット本体と、このユニット本体を前記スライダに着脱可能に保持する保持手段とを備え、
前記保持手段は、前記ユニット本体からスライダに跨って伸びる第１保持部と、前記第１保持部の先端から直角にかつ前記ユニット本体と平行に形成され前記出力コネクタに抜差可能な第２保持部とを備え、前記第２保持部の先端に前記出力コネクタに対して抜差可能に構成されその出力コネクタと前記ユニット本体の送信回路とを接続するコネクタを備えていることを特徴とする測定器用送信ユニット。
【請求項２】
本尺と、この本尺に移動可能に設けられたスライダとを備え、前記スライダには、本尺に対するスライダの移動量に基づく測定データを求める信号処理部と、この信号処理部で求められた測定データを表示するデジタル表示器と、前記信号処理部で求められた測定データを出力する出力コネクタとがそれぞれ設けられた測定器に取り付けられる測定器用送信ユニットであって、
前記測定データを無線で送信する送信回路を内蔵したユニット本体と、このユニット本体を前記スライダのデジタル表示器が設けられた第１の面とは反対側の第２の面に着脱可能に保持する保持手段とを備え、
前記ユニット本体の輪郭形状は、このユニット本体がスライダの第２の面に保持された状態において、スライダの第１の面の輪郭形状より少なくとも内側に位置する形状に形成され、
前記保持手段は、前記ユニット本体からスライダに跨って伸びる第１保持部と、前記第１保持部の先端から直角にかつ前記ユニット本体と平行に形成され前記出力コネクタに抜差可能な第２保持部とを備え、前記第２保持部の先端に前記出力コネクタに対して抜差可能に構成されその出力コネクタと前記ユニット本体の送信回路とを接続するコネクタを備えていることを特徴とする測定器用送信ユニット。
【請求項３】
ジョウを有する本尺と、この本尺に移動可能に設けられ前記ジョウとともに被測定物の測定部位に当接されるジョウを有するスライダとを備え、前記スライダには、本尺に対するスライダの移動量に基づく測定データを求める信号処理部と、この信号処理部で求められた測定データを表示するデジタル表示器と、前記信号処理部で求められた測定データを出力する出力コネクタとがそれぞれ設けられた測定器に取り付けられる測定器用送信ユニットであって、
前記測定データを無線で送信する送信回路を内蔵したユニット本体と、このユニット本体を前記スライダのデジタル表示器が設けられた第１の面とは反対側の第２の面に着脱可能に保持する保持手段とを備え、
前記ユニット本体の輪郭形状は、このユニット本体がスライダの第２の面に保持された状態において、スライダの第１の面の輪郭形状より少なくとも内側に位置する形状に形成され、
前記保持手段は、前記ユニット本体からスライダに跨って伸びる第１保持部と、前記第１保持部の先端から直角にかつ前記ユニット本体と平行に形成され前記出力コネクタに抜差可能な第２保持部とを備え、前記第２保持部の先端に前記出力コネクタに対して抜差可能に構成されその出力コネクタと前記ユニット本体の送信回路とを接続するコネクタを備えていることを特徴とする測定器用送信ユニット。
【請求項４】
請求項１から請求項３の何れかに記載した測定器用送信ユニットにおいて、
前記ユニット本体の第１保持部が設けられた面とは反対側の面には、前記第２保持部が出力コネクタから抜ける方向への移動を規制するロック手段が設けられていることを特徴とする測定器用送信ユニット。
【請求項５】
請求項４に記載した測定器用送信ユニットにおいて、
前記ロック手段は、ユニット本体の第１保持部が設けられた面とは反対側の面にスライダへ向かって形成されたガイド溝と、このガイド溝に摺動可能に設けられ前記スライダの出力コネクタが設けられた第３の面とは反対側の第４の面に対して突出、退避可能なロック片とから構成されていることを特徴とする測定器用送信ユニット。
【請求項６】
請求項５に記載した測定器用送信ユニットにおいて、
前記ロック片は、前記スライダに固定可能に設けられていることを特徴とする測定器用送信ユニット。
【請求項７】
請求項１から請求項６までの何れかに記載した測定器用送信ユニットにおいて、
前記保持手段は、前記ユニット本体に対して保持機構を介して着脱可能に設けられているとともに、
これらユニット本体と保持手段とには、ユニット本体に対して保持手段が装着されたとき、互いに係合、接続するコネクタがそれぞれ設けられていることを特徴とする測定器用送信ユニット。
【請求項８】
請求項７に記載した測定器用送信ユニットにおいて、
前記保持機構は、前記ユニット本体および保持手段のいずれか一方に設けられた係合爪と、前記ユニット本体および保持手段のいずれか他方に設けられ前記係合爪に係合する係合孔とから構成されていることを特徴とする測定器用送信ユニット。
【請求項９】
請求項８に記載した測定器用送信ユニットにおいて、
前記ユニット本体は、互いに分割可能かつ重ね合わせ可能で内部に前記送信回路を収納した一対の分割ケースから構成され、
前記各分割ケースには、少なくとも１つの係合爪が設けられていることを特徴とする測定器用送信ユニット。
【請求項１０】
請求項１から請求項３の何れかに記載した測定器用送信ユニットにおいて、
前記第１保持部には、前記送信回路にデータ送信指令を与える送信指令スイッチが設けられていることを特徴とする測定器用送信ユニット。
【請求項１１】
請求項１０に記載した測定器用送信ユニットにおいて、
前記送信回路は、前記送信指令スイッチが操作されている時間を判別し、その操作時間に応じて測定データの送信、送信済データ解除指令の送信、ユニット毎の固有ＩＤ設定のいずれかを行う判別手段を含んでいることを特徴とする測定器用送信ユニット。
【請求項１２】
請求項１０または請求項１１に記載した測定器用送信ユニットにおいて、
前記第１保持部の前記デジタル表示器の表示面と同じ面側には、前記送信指令スイッチが操作されたときに点灯する表示素子が設けられていることを特徴とする測定器用送信ユニット。
【請求項１３】
フレームと、このフレームに移動可能に設けられたスピンドルとを備え、前記フレームには、スピンドルの移動量に基づく測定データを求める信号処理部と、この信号処理部で求められた測定データを出力する出力コネクタとがそれぞれ設けられた測定器に取り付けられる測定器用送信ユニットであって、
前記測定データを無線で送信する送信回路を内蔵したユニット本体と、このユニット本体を前記フレームに着脱可能に保持する保持手段とを備え、
前記保持手段は、前記ユニット本体から前記フレームの本体部に跨って伸びる第１保持部と、前記第１保持部の先端から直角にかつ前記ユニット本体と平行に形成され前記出力コネクタに抜差可能な第２保持部とを備え、前記第２保持部の先端に前記出力コネクタに対して抜差可能に構成されその出力コネクタと前記ユニット本体の送信回路とを接続するコネクタを備えていることを特徴とする測定器用送信ユニット。
【発明の詳細な説明】
【０００１】
【発明の属する技術分野】
本発明は、測定器用送信ユニットに関する。詳しくは、ノギスやデプスゲージなどの測定器で測定した測定データを無線で外部のデータ処理装置などへ送信するための測定器用送信ユニットに関する。
【０００２】
【背景技術】
各測定端末から測定データをデータ処理装置などへ送信し、データ処理装置において、各測定端末から送信された測定データを収集、処理して品質管理データや統計データを求める計測データ収集処理システムが知られている。
中でも、各測定端末からの測定データを無線でデータ処理装置などへ送信するようにしたシステム（計測データ無線伝送システム）では、各測定端末毎に無線送信ユニットを備える必要がある。
【０００３】
従来、無線送信ユニットを備えた測定端末として、図７に示すように、電子式ノギス１と、この電子式ノギス１に接続ケーブル２を介して接続された送信ユニット３とを備えたノギスが知られている。
電子式ノギス１は、一端に内側測定用ジョウ１１Ａおよび外側測定用ジョウ１１Ｂを有する本尺１２と、この本尺１２に沿って移動可能に設けられ一端に前記各ジョウ１１Ａ，１１Ｂとともに被測定物の測定部位に当接する内側測定用ジョウ１３Ａおよび外側測定用ジョウ１３Ｂを有し、かつ、内部に電子式ノギス用電装モジュールを装着したスライダ１４とから構成されている。
【０００４】
本尺１２とスライダ１４との間には、スライダ１４の移動変位量を検出するアブソリュート位置検出器１５が設けられているとともに、スライダ１４には、内部にアブソリュート位置検出器１５からの信号を処理してスライダ１４の移動変位量（測定データ）を算出する信号処理部１７が、正面に信号処理部１７で算出された測定データをデジタル表示するデジタル表示器１６が、上面に信号処理部１７で算出された測定データを接続ケーブル２を介して送信ユニット３へ出力する出力コネクタ１８がそれぞれ設けられている。
【０００５】
使用にあたっては、スライダ１４の出力コネクタ１８に接続ケーブル２を介して送信ユニット３を接続した状態において、スライダ１４を本尺１２に沿って移動させながら、内側測定用ジョウ１１Ａ，１３Ａまたは外側測定用ジョウ１１Ｂ，１３Ｂを被測定物の測定部位に当接させる。すると、このときのスライダ１４の移動変位量、つまり、内側測定用ジョウ１１Ａ，１３Ａまたは外側測定用ジョウ１１Ｂ，１３Ｂ間の寸法（測定データ）がデジタル表示器１６にデジタル表示される。ここで、送信指令スイッチ（図示省略）を押すと、測定データが送信ユニット３から無線で送信される。
【０００６】
【発明が解決しようとする課題】
しかし、従来の無線送信ユニットを備えたノギスの構造では、測定に際して、スライダ１４を本尺１２に沿って移動させる際に接続ケーブル２が邪魔になるので、測定に支障が生じる。
また、使用にあたって、電子式ノギス１と送信ユニット３とが接続ケーブル２で接続された状態のままでは、携帯や移動に不便なため、送信ユニット３をスライダ１４に特別な固定手段によって固定して使用することも考えられる。しかし、これでは、電子式ノギス１と送信ユニット３とを電気的に接続する接続ケーブル２のほかに、送信ユニット３をスライダ１４に固定するための特別な固定手段が必要となるので、部品点数が増え、コストアップにつながる。
【０００７】
加えて、送信ユニット３をスライダ１４に固定するにあたっては、送信ユニット３を測定に支障をきたさないように安定して固定しなければならないので、固定作業が面倒であるという問題がある。しかも、送信ユニット３をスライダ１４に安定して固定できたとしても、送信ユニット３がスライダ１４の正面輪郭形状から突出する大きさでは、測定時に被測定物と送信ユニット３とが干渉し、測定に支障が生じるという問題がある。
【０００８】
なお、このような問題は、ノギスに限られたものでなく、本尺に対してスライダが移動し、その移動量から被測定物の寸法などを測定するデプスゲージ（深さ測定器）や測長ユニット（直線変位検出器）などの測定器でも、あるいは、フレームに対してスピンドルが軸方向へ変位し、その変位量から被測定物の厚みなどを測定するシックネスゲージ（厚み測定器）などでも生じる問題である。
【０００９】
本発明の目的は、このような従来の問題を解消し、測定の支障となることがないうえ、部品点数の増加を伴うこともなく、しかも、取付を安定して容易に行うことができる測定器用送信ユニットを提供することにある。
【００１０】
【課題を解決するための手段】
上記目的を達成するため、本発明の測定器用送信ユニットは、本尺と、この本尺に移動可能に設けられたスライダとを備え、前記スライダには、本尺に対するスライダの移動量に基づく測定データを求める信号処理部と、この信号処理部で求められた測定データを出力する出力コネクタとがそれぞれ設けられた測定器に取り付けられる測定器用送信ユニットであって、前記測定データを無線で送信する送信回路を内蔵したユニット本体と、このユニット本体を前記スライダに着脱可能に保持する保持手段とを備え、前記保持手段は、前記ユニット本体からスライダに跨って伸びる第１保持部と、前記第１保持部の先端から直角にかつ前記ユニット本体と平行に形成され前記出力コネクタに抜差可能な第２保持部とを備え、前記第２保持部の先端に前記出力コネクタに対して抜差可能に構成されその出力コネクタと前記ユニット本体の送信回路とを接続するコネクタを備えることを特徴とする。
【００１１】
このような構成によれば、保持手段を、スライダに設けられた出力コネクタに差し込むと、ユニット本体がスライダに保持されるとともに、スライダに設けられた出力コネクタとユニット本体の送信回路とが自動的に接続される。
つまり、ユニット本体をスライダに固定するための手段と、スライダの出力コネクタとユニット本体の送信回路とを電気的に接続するための手段とを兼用したので、部品点数の増加を伴うこともなく、しかも、保持手段をスライダの出力コネクタに差し込むだけで、ユニット本体をスライダに安定して保持できるから、ユニット本体をスライダに安定して容易に取り付けできる。もとより、従来の接続コードがないから、接続コードが測定上の支障となるのを防止できる。
特に、保持手段においては、前述した第１保持部および第２保持部を備えた構成により、第２保持部をスライダの出力コネクタに真上から差し込みながら係合させれば、ユニット本体がスライダに保持されるから、送信ユニットを簡単に装着でき、また、逆方向へ引き抜けば、送信ユニットを簡単に取り外しできる。従って、出力コネクタを有する既存の電子式ノギス等の測定器に後付けして使用することができる。
【００１２】
また、本発明の測定器用送信ユニットは、本尺と、この本尺に移動可能に設けられたスライダとを備え、前記スライダには、本尺に対するスライダの移動量に基づく測定データを求める信号処理部と、この信号処理部で求められた測定データを表示するデジタル表示器と、前記信号処理部で求められた測定データを出力する出力コネクタとがそれぞれ設けられた測定器に取り付けられる測定器用送信ユニットであって、前記測定データを無線で送信する送信回路を内蔵したユニット本体と、このユニット本体を前記スライダのデジタル表示器が設けられた第１の面とは反対側の第２の面に着脱可能に保持する保持手段とを備え、前記ユニット本体の輪郭形状は、このユニット本体がスライダの第２の面に保持された状態において、スライダの第１の面の輪郭形状より少なくとも内側に位置する形状に形成され、前記保持手段は、前記ユニット本体からスライダに跨って伸びる第１保持部と、前記第１保持部の先端から直角にかつ前記ユニット本体と平行に形成され前記出力コネクタに抜差可能な第２保持部とを備え、前記第２保持部の先端に前記出力コネクタに対して抜差可能に構成されその出力コネクタと前記ユニット本体の送信回路とを接続するコネクタを備えることを特徴とする。
【００１３】
このような構成によれば、上記の効果に加え、ユニット本体の輪郭形状が、スライダの第１の面（デジタル表示器が設けられた面）の輪郭形状より少なくとも内側に位置する形状であるから、測定時に被測定物とユニット本体とが干渉し、測定に支障が生じるという問題を回避できる。
【００１４】
以上において、測定器としては、本尺と、この本尺に移動可能に設けられたスライダとを備えるものであればどのような構造でもよい。
たとえば、ジョウを有する本尺と、この本尺に移動可能に設けられ前記ジョウとともに被測定物の測定部位に当接されるジョウを有するスライダとを備え、前記スライダには、本尺に対するスライダの移動量に基づく測定データを求める信号処理部と、この信号処理部で求められた測定データを表示するデジタル表示器と、前記信号処理部で求められた測定データを出力する出力コネクタとがそれぞれ設けられたノギスなどでもよく、あるいは、同様な構造を持つ測長ユニット（直線変位検出器）などの測定器でもよい。
【００１６】
前述した本発明の保持手段では、ユニット本体に差込方向に対して反対方向の力が働くと、ユニット本体がスライダから外れる可能性があるため、これを防止するための手段として、ユニット本体の第１保持部が設けられた面とは反対側の面に、第２保持部が出力コネクタから抜ける方向の移動を規制するロック手段を設けるのが望ましい。
【００１７】
ロック手段の具体的な構成として、ユニット本体の第１保持部が設けられた面とは反対側の面にスライダへ向かって形成されたガイド溝と、このガイド溝に摺動可能に設けられ前記スライダの出力コネクタが設けられた第３の面とは反対側の第４の面に対して突出、退避可能なロック片とを備える構成とすれば、ロック片をガイド溝に沿って摺動させてスライダの第４の面に突出させることにより、ロック片によってユニット本体がスライダから抜ける方向の移動が規制されるから、簡単な構成で抜け止めができる。
このとき、ロック片をスライダに固定可能に設けるようにすれば、ロック片がガイド溝から抜け落ちることがないから、確実にロックできる。
【００１８】
また、以上において、保持手段については、ユニット本体と一体的に構成してもよいが、別体として構成し、これを保持機構を介してユニット本体に対して着脱可能に設けるようにしてもよい。
この際、これらユニット本体と保持手段とには、ユニット本体に対して保持手段が装着されたとき、互いに係合、接続するコネクタをそれぞれ設けておけば、ユニット本体に対して保持手段を装着するだけで、電気的な接続ができるため、特別な配線などが不要である。よって、組立が容易である。
【００１９】
また、保持機構を、ユニット本体および保持手段のいずれか一方に設けられた係合爪と、ユニット本体および保持手段のいずれか他方に設けられ係合爪に係合する係合孔とを備える構成とすれば、簡単な構成でユニット本体に対して保持手段を着脱できる。
その際、ユニット本体を、互いに分割可能かつ重ね合わせ可能で内部に送信回路を収納した一対の分割ケースから構成するとともに、各分割ケースに、少なくとも１つの係合爪を設けるようにすれば、各分割ケースを重ね合わせたのち、これらの係合爪に保持手段の係合孔を差し込めば、三者（一対の分割ケースおよび保持手段）を一体的に組み立てることができる。
【００２０】
また、保持手段を、ユニット本体からスライダに跨って伸びる第１保持部と、この第１保持部の先端から直角にかつ前記ユニット本体と平行に形成され前記出力コネクタに抜差可能な第２保持部とを備える構成とした場合、第１保持部に送信回路にデータ送信指令を与える送信指令スイッチを設ければ、操作しやすい。この際、送信回路において、送信指令スイッチが操作されている時間を判別し、その操作時間に応じて測定データの送信、送信済データ解除指令の送信、ユニット毎の固有ＩＤ設定のいずれかを行えば、１つの送信指令スイッチによって複数の機能を使い分けることができる。
【００２１】
さらに、上記構成において、第１保持部のデジタル表示器の表示面と同じ面側に、送信指令スイッチが操作されたときに点灯する表示素子（ＥＬ＝エレクトロルミネッセンス、ＬＥＤ＝発光ダイオード等の発光表示器）を設ければ、視点を大きく移動させることなく、送信指令スイッチの操作を視覚によって確認できる。
また、本発明の測定器用送信ユニットは、本尺と、この本尺に移動可能に設けられたスライダとを備えた測定器に限らず、他の測定器、たとえば、フレームと、このフレームに移動可能に設けられたスピンドルとを備えたシックネスゲージ（厚み測定器）やマイクロメータなどの測定器にも適用することができる。
【００２２】
【発明の実施の形態】
以下、本発明の一実施形態を図面に基づいて説明する。
図１は本実施形態の測定器用送信ユニットを電子式ノギスに取り付けた状態の斜視図、図２は同上測定器用送信ユニットを電子式ノギスから取り外した状態の斜視図、図３は同上測定器用送信ユニットの分解斜視図である。なお、電子式ノギスについては、前述した図７に示す電子式ノギスと同一であるので、同一符号を付し、その説明を省略する。
【００２３】
本実施形態の測定器用送信ユニット２０は、電子式ノギス１のスライダ１４の背面、つまり、スライダ１４のデジタル表示器１６が設けられた正面（第１の面）とは反対側面（第２の面）に配置され内部に測定データなどを無線で送信する送信回路２４Ａ（図３参照）を内蔵したユニット本体２１と、このユニット本体２１の上面に着脱可能に取り付けられユニット本体２１を前記スライダ１４の背面に保持する保持手段４０と、この保持手段４０によってユニット本体２１がスライダ１４に保持された状態にロックするロック手段６０とを備える。
【００２４】
前記ユニット本体２１は、このユニット本体２１がスライダ１４の背面に保持された状態において、正面輪郭形状がスライダ１４の正面輪郭形状より少なくとも内側に位置する横長四角形状で、互いに分割可能かつ重ね合わせ可能で内部に前記送信回路２４Ａを収納した一対の分割ケース２２，２３から構成されている。
一対の分割ケース２２，２３のうち、一方の分割ケース２２内には、前記送信回路２４Ａが形成された回路基板２４が収納配置されている。回路基板２４には、ユニット本体２１内に収納される電池２５の＋，−極に接触する端子２６，２７と、コネクタ２８とがそれぞれ設けられている。他方の分割ケース２３には、電池２５を出し入れするための開口部２９が形成されているとともに、その開口部２９を塞ぐ蓋板３０が取り外し可能に装着されている。蓋板３０には、その蓋板３０が分割ケース２３に装着されたときに分割ケース２３に係止される係止爪３１が一端側に形成されているとともに、前記端子２７を内方へ弾性変形させて電池２５に接触させる押圧片３２が他端側に形成されている。
なお、一方の分割ケース２２の上面には２つの係合爪３３，３４が互いに対向して設けられているとともに、他方の分割ケース２３の上面には１つの係合爪３５が設けられている。
【００２５】
前記保持手段４０は、前記ユニット本体２１の上面からスライダ１４の上面に跨って伸びる第１保持部４１と、この第１保持部４１の先端から直角にかつ前記ユニット本体２１と平行に形成され前記出力コネクタ１８に抜差可能な第２保持部４２とを備え、第１保持部４１の基端部に前記コネクタ２８に係合接続されるコネクタ４３が、第２保持部４２の先端に前記出力コネクタ１８に接続されるコネクタ４４がそれぞれ設けられている。
【００２６】
前記第１保持部４１は、基部ケース４５と蓋板４６とから構成され、内部に送信回路２４Ａにデータ送信指令などを与える送信指令スイッチ４７およびその送信指令スイッチ４７が操作されたときに点灯する表示素子４８を有する。送信指令スイッチ４７は、蓋板４６の上面中央から外部に突出配置されている。表示素子４８は、第１保持部４１の正面、つまり、デジタル表示器１６の表示面と同じ面側に配置されている。また、基部ケース４５の周囲には、前記係合爪３３，３４，３５が挿入係止される係合孔４９，５０，５１がそれぞれ形成されている。ここに、係合爪３３，３４，３５と係合孔４９，５０，５１とによって、ユニット本体２１に対して保持手段４０を着脱可能に保持する保持機構５２が構成されている。
【００２７】
前記送信回路２４Ａは、前記送信指令スイッチ４７が操作されている時間（押されている時間）を判別し、その操作時間に応じて、測定データの送信、送信済データ解除指令の送信、ユニット毎の固有ＩＤ設定のいずれかを行う判別手段を備える。
たとえば、送信指令スイッチ４７の操作時間ｔが２秒以下（ｔ≦２秒）の場合には、測定データを送信する。操作時間ｔが２秒を超え４秒以下（２秒＜ｔ≦４秒）の場合には、前回送信したデータを受信機側でキャンセル（削除）させるための送信済データ解除指令信号を送信する。操作時間ｔが６秒以上（６秒≦ｔ）の場合には、ユニット毎の固有ＩＤを設定する。
【００２８】
ユニット毎の固有ＩＤの設定方法については、ノギスの表示値の上２桁（または下２桁）が所望の数字になるように、スライダ１４を移動させ、そこで、送信指令スイッチ４７を６秒以上、操作し続ければ、固有ＩＤをセットすることができる。
なお、測定値異常（たとえば、スライダ１４のオーバスピードや、本尺１２のスケール面の汚染による検出不能など）の場合には、送信指令スイッチ４７が操作されたときに、エラーコードを送信する。すると、受信機側では、このエラーコードを受信してエラー処理を行う。
【００２９】
なお、送信指令スイッチ４７の操作に伴う表示素子４８の動作は、次の通りである。
▲１▼送信指令スイッチ４７が操作された瞬間に瞬時（約０．２〜０．３秒）点灯する。
▲２▼送信指令スイッチ４７が操作され続けている場合は、２秒〜４秒後まで点灯する。この間、送信指令スイッチ４７をリリースすると、キャンセルを受け付ける。つまり、送信済データ解除指令を送信する。
▲３▼送信指令スイッチ４７の操作時間が４秒を超えると、消灯する。
▲４▼送信指令スイッチ４７の操作時間が６秒以上になると、送信指令スイッチ４７がリリースされるまで、点滅し続ける。この間、ＩＤ設定が可能となる。
【００３０】
前記ロック手段６０は、前記ユニット本体２１の下面にスライダ１４へ向かって形成されたガイド溝としての蟻溝６２と、この蟻溝６２に摺動可能に設けられスライダ１４の下面（第４の面）に対して突出、退避可能なロック片６４とから構成されている。前記ロック片６４には、上面に前記蟻溝６２に摺動可能に係合する係合突起６３が形成されているとともに、正面にねじ挿通孔６５が形成されている。このねじ挿通孔６５に挿入されるねじ６６によって、ロック片６４がスライダ１４に固定可能になっている。この際、スライダ１４に設けられるサムローラ（スライダ１４を微動送りするローラ）を取り付けるためのねじ孔を利用してねじ６６をスライダ１４に螺合するようにするとよい。
【００３１】
このような構成であるから、送信ユニット２０を電子式ノギス１のスライダ１４の背面に装着した状態、つまり、図１の状態において、スライダ１４を本尺１２に沿って移動させながら、内側測定用ジョウ１１Ａ，１３Ａまたは外側測定用ジョウ１１Ｂ，１３Ｂを被測定物の測定部位に当接させる。すると、このときのスライダ１４の移動変位量、つまり、内側測定用ジョウ１１Ａ，１３Ａまたは外側測定用ジョウ１１Ｂ，１３Ｂ間の寸法がデジタル表示器１６にデジタル表示される。
【００３２】
このとき、送信ユニット２０の輪郭がスライダ１４の正面輪郭形状より外側に突出していないから、測定時に送信ユニット２０が被測定物に干渉することがない。ここで、送信指令スイッチ４７を操作すると、測定データが送信ユニット２０の送信回路２４Ａから無線で外部のデータ処理装置などへ送信される。なお、送信指令スイッチ４７が押されている時間によって、送信済データ解除指令信号や送信ユニット毎の固有ＩＤ設定指令信号が送信される。データ処理装置では、各端末から送信されてくる測定データを収集し、その測定データを処理して、品質管理データや統計データを求める。
【００３３】
本実施形態によれば、ユニット本体２１と、このユニット本体２１をスライダ１４の背面に保持する保持手段４０とを備え、ユニット本体２１の正面輪郭形状をスライダ１４の正面輪郭形状より少なくとも内側に位置する形状としたから、測定時に被測定物とユニット本体２１とが干渉し、測定に支障が生じるという問題を回避できる。もとより、従来の接続コードがないから、接続コードが測定上の支障となるのを防止できる。
【００３４】
また、保持手段４０をスライダ１４の出力コネクタ１８に差し込むと、ユニット本体２１がスライダ１４に安定して保持される。しかも、保持手段４０は、スライダ１４に設けられた出力コネクタ１８とユニット本体２１の送信回路２４Ａとを接続するコネクタ４４を備えているから、保持手段４０によってユニット本体２１をスライダ１４の背面に保持すれば、スライダ１４に設けられた出力コネクタ１８とユニット本体２１の送信回路２４Ａとが自動的に接続され、特別に配線を施すことがない。このことは、ユニット本体２１をスライダ１４に固定するための手段と、スライダ１４の出力コネクタ１８とユニット本体２１の送信回路２４Ａとを電気的に接続するための手段とを兼用したので、部品点数の増加を伴うことなく、簡単かつ経済的に構成できるとともに、取扱性にも優れる。
【００３５】
また、保持手段４０は、ユニット本体２１の上面からスライダ１４の上面に跨って伸びる第１保持部４１と、この第１保持部４１の先端から直角にかつ前記ユニット本体２１と平行に形成され出力コネクタ１８に係合可能な第２保持部４２とを備え、第２保持部４２の先端に前記出力コネクタ１８に接続されるコネクタ４４を備えているから、第２保持部４２をスライダ１４の真上より出力コネクタ１８に差し込みながら係合させれば、ユニット本体２１がスライダ１４の背面に保持される。従って、送信ユニット２０を簡単に装着でき、また、逆方向に引き抜けば、送信ユニット２０を簡単に取り外しできる。
【００３６】
また、ユニット本体２１の下面に、ユニット本体２１がスライダ１４から外れるのを防ぐロック手段６０を設けたので、ユニット本体２１をスライダ１４に確実に保持できる。
しかも、ロック手段６０を、ユニット本体２１の下面に設けられた蟻溝６２と、この蟻溝６２に摺動可能に設けられたロック片６４とから構成したので、ロック片６４を蟻溝６２に沿って摺動させてスライダ１４の下面に突出させれば、このロック片６４によってユニット本体２１がスライダ１４から抜けるのが防止されるから、簡単な構造によって抜け止めが行える。さらに、この状態において、ロック片６４をスライダ１４に固定できるようにしたので（ねじ挿通孔６５に挿入されるねじ６６によって）、ロック片６４が蟻溝６２から抜け落ちることがない。
【００３７】
さらに、保持手段４０を、保持機構５２を介してユニット本体２１に対して着脱可能に設けるとともに、これらユニット本体２１と保持手段４０とに、ユニット本体２１に対して保持手段４０が装着されたとき、互いに係合するコネクタ２８，４３を設けたので、ユニット本体２１に対して保持手段４０を装着するでけで、電気的な接続ができるため、特別な配線などを不要にできる。よって、組立が容易である。
【００３８】
また、保持機構５２を、ユニット本体２１に設けられた係合爪３３，３４，３５と、保持手段４０に設けられ係合爪３３，３４，３５に係合する係合孔４９，５０，５１とから構成したので、簡単な構成でユニット本体２１に対して保持手段４０を着脱できる。
【００３９】
その際、ユニット本体２１を、互いに分割可能かつ重ね合わせ可能で内部に送信回路２４Ａを収納した一対の分割ケース２２，２３から構成するとともに、分割ケース２２には２つの係合爪３３，３４を設け、分割ケース２３には１つの係合爪３５を設けたので、各分割ケース２２，２３を重ね合わせたのち、これらの係合爪３３，３４，３５に保持手段４０の係合孔４９，５０，５１を差し込めば、三者（一対の分割ケース２２，２３および保持手段４０）を一体的に組み立てることができる。従って、簡単に組み立てできる。
【００４０】
また、第１保持部４１の上面に、データ送信指令、あるいは、送信済データ解除指令やユニット毎の固有ＩＤ設定を指令するための送信指令スイッチ４７を設けたので、操作しやすい。つまり、スライダ１４を片方の手で操作しながら（移動させながら）、その片方の手の指（通常、人差し指）で送信指令スイッチ４７を押すことができる。
【００４１】
その際、表示素子４８が点灯するので、送信指令スイッチ４７が確実に操作されたか否かを視覚によって確認できる。しかも、送信指令スイッチ４７を、第１保持部４１の正面、つまり、測定値が表示される表示器１６と同一視野面に設けたので、測定値読み取り時の視点を大きく移動させることなく、容易に送信指令スイッチ４７の操作を視覚によって確認できる。
【００４２】
なお、上記実施形態では、ユニット本体２１の上面に保持手段４０をスライダ１４の上面に跨って設けたが、電子式ノギス用電装モジュールにおけるコネクタ１８の位置によっては、ユニット本体２１の下面に保持手段４０をスライダ１４の下面に跨って設けるようにしてもよい。
【００４３】
また、上記実施形態では、保持機構５２を、ユニット本体２１に設けられた係合爪３３，３４，３５と、保持手段４０に設けられ係合爪３３，３４，３５に係合する係合孔４９，５０，５１とから構成したが、これとは逆でもよい。つまり、保持手段４０に係合爪３３，３４，３５を設け、ユニット本体２１に係合爪３３，３４，３５に係合する係合孔４９，５０，５１を設けるようにしてもよい。係合爪および係合孔の数は、これに限らず、２以上であれば任意である。
【００４４】
また、本発明の送信ユニットは、上記実施形態で説明したノギス用に限られない。
たとえば、図４に示すように、本尺１２Ａと、この本尺１２Ａに移動可能に設けられ下端両側に当接子７１を有するスライダ１４Ａとを備え、本尺１２Ａの先端から当接子７１までの距離によって穴７２の深さを測定するデプスゲージ（深さ測定器）にも適用できる。つまり、スライダ１４Ａを前記スライダ１４と同じ構成とすれば、スライダ１４Ａの背面に送信ユニット２０を装着することができる。
【００４５】
また、図５に示すように、両端に取付部８１を有する本尺１２Ｂと、この本尺１２Ａに移動可能に設けられたスライダ１４Ｂとを備え、取付部８１を工作機械の本体などに固定し、スライダ１４Ｂを可動部材に連結することによって、その可動部材の位置を検出する測長ユニット（直線変位検出器）にも適用できる。この場合も、スライダ１４Ｂを前記スライダ１４と同じ構成とすれば、スライダ１４Ｂに送信ユニット２０を装着することができる。
【００４６】
さらに、図６に示すように、Ｕ形フレーム９１と、このフレーム９１の一端内面に設けられたアンビル９２と、前記フレーム９１の他端に前記アンビル９２に向かって移動可能に設けられたスピンドル９３とを備え、前記フレーム９１の他端本体部９４に、スピンドル９３の移動量に基づく測定データを求める信号処理部１７と、この信号処理部１７で求められた測定データを表示するデジタル表示器１６と、前記信号処理部１７で求められた測定データを出力する出力コネクタ１８とがそれぞれ設けられたシックネスゲージ（厚み測定器）にも適用できる。つまり、フレーム９１の本体部９４を前記スライダ１４と同じ構成とすれば、フレームの本体部９４に送信ユニット２０を装着することができる。なお、図中、９５はスピンドル９３を進退させるレバーである。
【００４７】
【発明の効果】
本発明の測定器用送信ユニットによれば、測定の支障となることがないうえ、部品点数の増加を伴うこともなく、しかも、取付を安定して容易に行うことができる。
【図面の簡単な説明】
【図１】  本発明の測定器用送信ユニットを電子式ノギスに装着した一実施形態を示す斜視図である。
【図２】  同上実施形態において電子式ノギスに対して測定器用送信ユニットを取り外した状態のそれぞれの斜視図である。
【図３】  同上実施形態の測定器用送信ユニットの分解斜視図である。
【図４】  本発明の測定器用送信ユニットが適用されるデプスゲージを示す正面図である。
【図５】  本発明の測定器用送信ユニットが適用される測長ユニット（直線変位検出器）を示す正面図である。
【図６】  本発明の測定器用送信ユニットが適用されるシックネスゲージ（厚み測定器）を示す斜視図である。
【図７】  従来の無線送信ユニットを備えた電子式ノギスを示す斜視図である。
【符号の説明】
１１Ａ，１１Ｂ，１３Ａ，１３Ｂ  ジョウ
１２  本尺
１４  スライダ
１６  デジタル表示器
１７  信号処理部
１８  出力コネクタ
２０  測定器用送信ユニット
２１  ユニット本体
２２，２３  分割ケース
２８，４３，４４  コネクタ
３３，３４，３５  係合爪
４０  保持手段
４１  第一保持部
４２  第二保持部
４７  送信指令スイッチ
４８  表示素子
４９，５０，５１  係合孔
５２  保持機構
６０  ロック手段
６２  ガイド溝である蟻溝
６４  ロック片
【図１】
0004456697.tif 000002
【図２】
0004456697.tif 000003
【図３】
0004456697.tif 000004
【図４】
0004456697.tif 000005
【図５】
0004456697.tif 000006
【図６】
0004456697.tif 000007
【図７】
0004456697.tif 000008